(57)【要約】【課題】支柱フレーム間の連結部の強度を高めるとともに、パッキンがキャビネットの外側に露出しない電気機器収納用キャビネットのフレーム連結構造を提供する。【解決手段】左右に隣接して配置された支柱フレーム５，５間を連結金具６で連結した電気機器収納用キャビネットのフレーム連結構造である。これらの支柱フレーム５，５間には略全長にわたってパッキン１２が設けられ、連結金具６はこのパッキン１２を支柱フレーム５の略全長にわたってキャビネットの外側から覆い、隠蔽する。【選択図】図４
2015076461.tif 000002
【特許請求の範囲】
【請求項１】
左右に隣接して配置された支柱フレーム間を連結金具で連結した電気機器収納用キャビネットのフレーム連結構造であって、
これらの支柱フレーム間には略全長にわたってパッキンが設けられ、
連結金具はこのパッキンを支柱フレームの略全長にわたってキャビネットの外側から覆い、隠蔽した構造であることを特徴とする電気機器収納用キャビネットのフレーム連結構造。
【請求項２】
キャビネットが屋根部と、屋根部から垂下された垂下辺とを備えたものであり、連結金具の上端を垂下辺の下端よりも上側としたことを特徴とする請求項１記載の電気機器収納用キャビネットのフレーム連結構造。
【請求項３】
連結金具は、パッキンを支柱フレームの外側に押圧するものであることを特徴とする請求項２記載の電気機器収納用キャビネットのフレーム連結構造。
【請求項４】
連結金具は、垂直辺の左右にこの垂直辺に対して鈍角をなす傾斜辺を有し、これらの傾斜辺を支柱フレームの外側に形成された傾斜部に固定したことを特徴とする請求項３記載の電気機器収納用キャビネットのフレーム連結構造。
【請求項５】
支柱フレームはその傾斜部の端部に凸部を有し、パッキンをこの凸部と連結金具の垂直辺とによって押圧したことを特徴とする請求項４記載の電気機器収納用キャビネットのフレーム連結構造。
【請求項６】
連結金具は、一方の支柱フレームの外側に接する外側辺と、他方の支柱フレームの内側に接する内側辺とを備えたものであることを特徴とする請求項３記載の電気機器収納用キャビネットのフレーム連結構造。
【請求項７】
連結金具の外側辺は、垂直辺とこの垂直辺に対して鈍角をなす傾斜辺とを有し、この傾斜辺を支柱フレームの外側に形成された傾斜部に固定するとともに、支柱フレームの傾斜部の端部に形成された凸部と前記垂直辺との間でパッキンを押圧したことを特徴とする請求項６記載の電気機器収納用キャビネットのフレーム連結構造。
【発明の詳細な説明】
【技術分野】
【０００１】
本発明は、フレーム式キャビネットの隣接する支柱フレーム間を連結する電気機器収納用キャビネットのフレーム連結構造に関するものである。
【背景技術】
【０００２】
フレーム式キャビネットの隣接する支柱フレーム間を連結する構造としては、特許文献１に示すように、支柱フレームの内側に断面Ｌ字状の連結金具をそれぞれ取付け、これらの連結金具間をボルトで固定したり、平板状の連結金具の左右に支柱フレームをそれぞれボルト固定する構造が一般的である。しかしこのような構造は連結金具の部品点数が多くなったり、連結強度が低いという問題があった。
【０００３】
また、連結部に防水性や防塵性が求められる場合には、支柱フレーム間にパッキンを貼り付けるのが一般的であるが、このパッキンの端部はキャビネットの外側に露出することとなるため劣化しやすいうえ、見栄えが悪いという問題があった。
【先行技術文献】
【特許文献】
【０００４】
【特許文献１】特開２００３−７８２６６号公報
【発明の概要】
【発明が解決しようとする課題】
【０００５】
従って本発明の目的は上記した従来の問題点を解決し、支柱フレーム間の連結部の強度を高めるとともに、パッキンの劣化を抑制する電気機器収納用キャビネットのフレーム連結構造を提供することである。
【課題を解決するための手段】
【０００６】
上記の課題を解決するためになされた本発明は、左右に隣接して配置された支柱フレーム間を連結金具で連結した電気機器収納用キャビネットのフレーム連結構造であって、これらの支柱フレーム間には略全長にわたってパッキンが設けられ、連結金具はこのパッキンを支柱フレームの略全長にわたってキャビネットの外側から覆い、隠蔽した構造であることを特徴とするものである。
【０００７】
請求項２の発明は請求項１の発明において、キャビネットが屋根部と、屋根部から垂下された垂下辺とを備えたものであり、連結金具の上端を垂下辺の下端よりも上側としたことを特徴とするものである。
【０００８】
請求項３の発明は請求項２の発明において、連結金具は、パッキンを支柱フレームの外側に押圧するものであることを特徴とするものである。
【０００９】
請求項４の発明は請求項３の発明において、連結金具は、垂直辺の左右にこの垂直辺に対して鈍角をなす傾斜辺を有し、これらの傾斜辺を支柱フレームの外側に形成された傾斜部に固定したことを特徴とするものである。
【００１０】
請求項５の発明は請求項４の発明において、支柱フレームはその傾斜部の端部に凸部を有し、パッキンをこの凸部と連結金具の垂直辺とによって押圧したことを特徴とするものである。
【００１１】
請求項６の発明は請求項３の発明において、連結金具は、一方の支柱フレームの外側に接する外側辺と、他方の支柱フレームの内側に接する内側辺とを備えたものであることを特徴とするものである。
【００１２】
請求項７の発明は請求項６の発明において、連結金具の外側辺は、垂直辺とこの垂直辺に対して鈍角をなす傾斜辺とを有し、この傾斜辺を支柱フレームの外側に形成された傾斜部に固定するとともに、支柱フレームの傾斜部の端部に形成された凸部と前記垂直辺との間でパッキンを押圧したことを特徴とするものである。
【発明の効果】
【００１３】
本発明の電気機器収納用キャビネットのフレーム連結構造は、連結金具を支柱フレームの略全長にわたって形成したので、連結強度が高まるとともに、防水性能も向上する。また、連結金具によってパッキンがキャビネットの外側から覆われるので、パッキンの劣化を抑制することが可能であるうえ、見栄えも良くなる。
【００１４】
請求項２のように、連結金具の上端位置を屋根部から垂下された垂下辺の下端よりも上側としておけば、連結金具の上端から雨水が浸入することを防止することができ、防水性能を高めることができる。
【００１５】
請求項３のように、連結金具がパッキンを支柱フレームの外側に押圧する構造としておけば、支柱フレーム間の防水性能を向上させることができる。
【００１６】
請求項４のように、連結金具の左右の傾斜辺を支柱フレームの外側に形成された傾斜部に固定した構造とすれば、連結時に支柱フレームどうしを引き付ける力が生じ、連結作業性を高めることができる。また支柱フレームの内側の面にオプション機器等を取付けることが可能となる。
【００１７】
請求項５のように、支柱フレームはその傾斜部の端部に凸部を有し、パッキンをこの凸部と連結金具の垂直辺とによって押圧した構造とすれば、防水効果を高くすることができると同時に、凸部と連結金具の垂直辺との間にパッキンの収納空間を形成することができ、パッキンを押圧し過ぎることがないので、パッキンの切断や損傷を防止することができる。
【００１８】
請求項６のように、連結金具が一方の支柱フレームの外側に接する外側辺と、他方の支柱フレームの内側に接する内側辺とを備えた構造とすれば、連結金具の強度を確保することができるとともに、フレームの耐震強度も高めることができる。
【００１９】
請求項７の構造とすれば、一方の支柱フレームの外側に形成された傾斜部に蝶番を取付けた場合にも、連結金具の取付けが可能となる。また連結金具の外側の傾斜辺を支柱フレームの傾斜部に固定することで、連結時に引き付け力が生じ、連結作業性を高めることができる。
【図面の簡単な説明】
【００２０】
【図１】フレーム式キャビネットの全体斜視図である。
【図２】第１の実施形態を示す要部の分解斜視図である。
【図３】第１の実施形態を示す要部の斜視図である。
【図４】第１の実施形態を示す水平断面図である。
【図５】第１の実施形態の変形例を示す水平断面図である。
【図６】第２の実施形態を示す要部の分解斜視図である。
【図７】第２の実施形態を示す要部の斜視図である。
【図８】第２の実施形態を示す水平断面図である。
【図９】第２の実施形態の変形例を示す水平断面図である。
【図１０】第３の実施形態を示す水平断面図である。
【図１１】キャビネット全体の分解斜視図である。
【図１２】屋根の下部の構造を示す断面図である。
【発明を実施するための形態】
【００２１】
以下に本発明の実施形態を説明する。
図１は本発明のフレーム連結構造が用いられた電気機器収納用のフレーム式キャビネットの全体斜視図である。このフレーム式キャビネットは、４つのコーナー枠体１と２つの四角枠体２とによって、箱体状のフレーム枠体を構成している。これらのコーナー枠体１も四角枠体２も、上部水平フレーム３、下部水平フレーム４、支柱フレーム５などのフレーム辺を組み合わせて構成されている。これらのコーナー枠体１の隣接する支柱フレーム５どうしを連結したり、コーナー枠体１と四角枠体２の隣接する支柱フレーム５どうしを連結したり、フレーム式キャビネットどうしを連結するために、以下に説明する連結金具６が用いられている。
【００２２】
図２〜図５は、本発明の第１の実施形態を示すものである。支柱フレーム５は図４に示すように、断面が中空の直角二等辺三角形状のものであり、キャビネットの外側に向けて配置される傾斜部７の両端に、水切り用の凸部８が形成されている。連結金具６は金属板を折り曲げて形成されたものであり、図４に示されるように、中央の垂直辺９の左右両側に、傾斜部７に当接するように垂直辺９に対して鈍角をなす傾斜辺１０を有する。これらの傾斜辺１０を支柱フレーム５の傾斜部７にボルト１１により固定し、左右の支柱フレーム５、５どうしをキャビネットの外側から連結する。この実施形態では支柱フレーム５の傾斜部７は４５°の傾斜角を持つため、連結金具６の傾斜辺１０は傾斜部７に当接する為に、垂直辺９をキャビネットの外側方向に４５°折り曲げて（垂直辺９に対してキャビネットの外側方向に１３５°の角度で）形成されている。連結金具６は図１に示されるように、支柱フレーム５の略全長にわたる高さを有する。
【００２３】
図４に示すように、連結金具６の垂直辺９と、支柱フレーム５との間には、パッキン１２が設けられている。連結金具６の傾斜辺１０を支柱フレーム５の傾斜部７に固定することで、支柱フレーム５どうしを引き付ける力と、パッキン１２を支柱フレーム５の水切り用の凸部８に押圧する力が生じるため、連結作業性が向上すると同時に、防水性を向上させることができる。パッキン１２は支柱フレーム５の略全長にわたって取付けられているが、連結金具６も支柱フレーム５の略全長にわたるため、連結強度が高まる。またパッキン１２は連結金具６によって覆われ、キャビネットの外側に露出しないように隠蔽されるため、パッキンの劣化を防止することができる。また見栄えもよい。
【００２４】
さらに図４のように、パッキン１２を支柱フレーム５の凸部８と連結金具６の垂直辺９とによって押圧する構造とすれば、凸部８と連結金具６との間にパッキン１２の収納空間を形成することができ、パッキン１２が過度に押圧されることがないので、パッキン１２の切断や損傷が防止される。
【００２５】
なお図５に示すように、パッキン１２を隣接する支柱フレーム５、５の凸部８、８間に配置することもできる。この場合にも連結金具６の傾斜辺１０を支柱フレーム５の傾斜部７に固定する際に支柱フレーム５どうしを引き付ける力は発生するので、パッキン１２を支柱フレーム５、５で押圧することができ、しかも連結金具６がパッキン１２を覆うことができる。
【００２６】
図６〜図９は本発明の第２の実施形態を示すものである。上記した第１の実施形態では左右の支柱フレーム５の傾斜部７に連結金具６の傾斜辺１０を取付けたが、片側の支柱フレーム５の外側に扉支持用の蝶番金具１３を取付ける場合には、連結金具６の傾斜辺１０が邪魔になる可能性がある。このため第２の実施形態では図８に示すように、連結金具１４を、一方の支柱フレーム５の外側に接する外側辺１５と、他方の支柱フレーム５の内側に接する内側辺１６とを備えた構造とした。ここで、支柱フレーム５の外側とは、支柱フレーム５のキャビネット外側に面する部分を意味し、支柱フレーム５の内側とは、支柱フレーム５のキャビネット内側に面する部分を意味する。
【００２７】
具体的には、連結金具１４の外側辺１５は、垂直辺１７とこの垂直辺１７に対して鈍角をなす傾斜辺１０とを有し、この傾斜辺１０を支柱フレーム５の外側に形成された傾斜部７に固定する。一方、内側辺１６は垂直辺１７の端部を折り曲げ辺１８を介してクランク状に折り曲げて形成されたもので、他方の支柱フレーム５の内側にパッキン２１を介してボルト１９で固定される。
【００２８】
図８に示されるように、一方の支柱フレーム５の傾斜部７の端部に形成された凸部８と、垂直辺１７との間にパッキン１２が配置され、これらの凸部８と垂直辺１７とによって押圧される。このように連結金具１４の片側を支柱フレーム５の内側に接する内側辺１６とすれば、その支柱フレーム５の傾斜部７に蝶番金具１３等を取付けることができる。
【００２９】
なお支柱フレーム５と連結金具１４間に空間がないところにパッキン２１を取り付ける場合は、図９に示すように、内側辺１６に凹部２３を形成してその内部にパッキン２１を収納してもよい。さらにこの内側のパッキン２１は、折り曲げ辺１８に沿ってＬ字状に取付けることもできる。この第２の実施形態においても、パッキン１２、パッキン２１及び連結金具１４は、支柱フレーム５の略全長にわたって延びている。
【００３０】
図１０は本発明の第３の実施形態を示すものである。この実施形態では断面が四角形状の支柱フレーム２４が用いられており、それらの間を連結金具２５によって連結している。この連結金具２５は、外側辺２６と内側辺２７との間を、直角に折り曲げられた折り曲げ辺２８によって連結した構造であり、外側辺２６は一方の支柱フレーム２４の外側にボルト固定され、内側辺２７は他方の支柱フレーム２４の内側にボルト固定されている。また外側辺２６と支柱フレーム２４との間、及び内側辺２７と支柱フレーム２４との間にはそれぞれパッキン２９が配置されている。前記した実施形態と同様に、これらのパッキン２９は連結金具２５によって覆われている。このように、支柱フレーム２４の構造も変更可能である。
【００３１】
図１１は上記のように構成されたフレーム式キャビネットに屋根部３０、扉３１、側板３２等を取付けた状態を示す分解斜視図である。屋根部３０の下部には、図１２に示すように垂下辺３３が取り付けられており、連結金具６の上端を垂下辺３３の下端よりも上側としてある。これによって雨水が連結金具６の上端から浸入することが防止される。
【００３２】
以上に説明したように、本発明の連結金具６によれば支柱フレーム２４間の連結部の強度を高めることができ、またパッキンがキャビネットの外側に露出することによるパッキンの劣化を防止することができる。また、連結金具６はフレーム式キャビネット内の支柱フレーム２４どうしの連結にも、フレーム式キャビネットどうしの支柱フレーム２４の連結にも使用することができる。
【符号の説明】
【００３３】
１  コーナー枠体
２  四角枠体
３  上部水平フレーム
４  下部水平フレーム
５  支柱フレーム
６  連結金具
７  傾斜部
８  凸部
９  垂直辺
１０  傾斜辺
１１  ボルト
１２  パッキン
１３  蝶番金具
１４  連結金具
１５  外側辺
１６  内側辺
１７  垂直辺
１８  折り曲げ辺
１９  ボルト
２１  パッキン
２３  凹部
２４  支柱フレーム
２５  連結金具
２６  外側辺
２７  内側辺
２８  折り曲げ辺
２９  パッキン
３０  屋根部
３１  扉
３２  側板
３３  垂下辺
【図１】
2015076461.tif 000003
【図２】
2015076461.tif 000004
【図３】
2015076461.tif 000005
【図４】
2015076461.tif 000006
【図５】
2015076461.tif 000007
【図６】
2015076461.tif 000008
【図７】
2015076461.tif 000009
【図８】
2015076461.tif 000010
【図９】
2015076461.tif 000011
【図１０】
2015076461.tif 000012
【図１２】
2015076461.tif 000013
【図１１】
2015076461.tif 000014